(57)【要約】  【課題】システムキッチンにおいてシンク下を有効に活用した組み込み式のビルトイン型冷蔵庫を提供する。  【解決手段】システムキッチンにおいて外枠１０の上部にシンク１１を配置するとき、最下段の収納スペースに冷蔵庫を設置する場合、その構成は収納部１５とその左右どちらかに機械室１６、冷却ユニット１９を配置し、冷気の吐出口２７を庫内の奥側に吸込み口２８を断熱箱体開口部２６側に配置することにより、冷却能力の確保、庫内温度の均一化を図りながら断熱箱体開口部の結露を低減させることができる。【選択図】図４
2006105561.tif 000002
【特許請求の範囲】
【請求項１】
システムキッチン等の本体に設けられた引き出しスペースに設置される冷蔵庫であって、前面を開口した貯蔵室の左右のいずれか一方に、前記貯蔵室を冷却するための冷却ユニットを集中配置し、前記貯蔵室内に、前後方向にスライド可能となるように容器を配置し、さらに前記貯蔵室の前面開口部を開閉する扉を設けて前記貯蔵室を閉塞空間とし、前記貯蔵室内に、前記冷却ユニットの冷気を循環させる庫内風路を形成し、前記庫内風路の吸込み口を前記扉側に、また、冷気の吐出口を前記吸込み口よりも奥行き側位置にそれぞれ開口したビルトイン型冷蔵庫。
【請求項２】
前記冷却室内に設置される庫内空気循環用ファンを、前記冷却ユニットを構成する冷却器の奥側に設置した請求項１に記載のビルトイン型冷蔵庫。
【請求項３】
前記冷却器は、冷却ユニット内に構成された冷却室内に位置し、その冷却室内壁の側面に設置された請求項１または２に記載のビルトイン型冷蔵庫。
【請求項４】
前記冷却器は、複数の吸熱フィンを具備し、そのフィンの間隔を、５ｍｍ以上確保するようにした請求項１から３のいずれか一項に記載のビルトイン型冷蔵庫。
【請求項５】
前記冷却器のフィンは、その先端位置が、フィン根元よりも低い位置となるように延出させた請求項１から４のいずれか一項に記載のビルトイン型冷蔵庫。
【請求項６】
前記冷却器のフィンを、冷気の流れ方向に対して斜め下方向に延出させた請求項１から５のいずれか一項に記載のビルトイン型冷蔵庫。
【請求項７】
前記冷却器のフィンを、冷気の流れ方向に対して直角方向に延出させた請求項１から５のいずれか一項に記載のビルトイン型冷蔵庫。
【請求項８】
少なくとも前記容器を、高熱伝導性部材より構成した請求項１から７のいずれか一項に記載のビルトイン型冷蔵庫。
【請求項９】
少なくとも前記貯蔵室内壁の一部に、防錆処理を施した請求項８に記載のビルトイン型冷蔵庫。
【請求項１０】
前記冷気の吐出口の面積を、前記吸込み口の面積より大きくした請求項１から９のいずれか一項に記載のビルトイン型冷蔵庫。
【請求項１１】
前記貯蔵室の一部にリブを設けた請求項１から１０のいずれか一項に記載のビルトイン型冷蔵庫。
【発明の詳細な説明】
【技術分野】
【０００１】
本発明は、システムキッチン等の一区画の空間に組み込み収納できるように構成したビルトイン型冷蔵庫の収納形態及びその構成に関するものである。
【背景技術】
【０００２】
従来、システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式となっているものが主流であり、収納部についても、上段から下段まで引き出し式の収納部となっている。
【０００３】
しかし、その収納部の中でもシンク下部については、シンク用の給排水配管があり、例えば、その部分については、他の引き出し収納部より奥行きが狭い空間となっている。
【０００４】
また、システムキッチンの他の区画には、これらとは別に保冷庫を設置している例が知られている（例えば特許文献１参照）。
【０００５】
図１０は、前記特許文献１に記載されたシステムキッチン用の保冷庫を示すものである。
【０００６】
同図に示すように、保冷庫は、台所収納体の組付け空間１に組み込まれる外ケース２と、この外ケース２に出し入れされる容器状の収納体３と、ペルチェ素子４、送風ファン５、及び熱交換器６等で構成され、容器状の収納体を周囲温度より低い温度にした保冷庫としてシステムキッチンの収納部の一部に配設することで、食品の変質や味落ちを防止できる構成となっている。また保冷庫の左右に熱交換器用の空気導入経路７と排気経路８を配設することで、前記システムキッチンの収納部に収まった状態でも吸排気スペースを確保できる構成となっている。
【特許文献１】特開２００３−１６１５６５号公報
【発明の開示】
【発明が解決しようとする課題】
【０００７】
しかしながら、上記従来の構成では、シンク下に設置した場合、奥行き側にシンク用の給排水管があることから、冷却ユニットを収納空間の奥側に設けると、奥行きのない収納部になるという課題を有していた。
【０００８】
本発明は、上記従来の課題を解決するもので、システムキッチンのシンク下部の、奥側に給排水管がある空間に収納する冷蔵庫において庫内の奥行き寸法を十分に確保し、かつ性能および信頼性を確保したビルトイン型冷蔵庫を提供することを目的とするものである。
【課題を解決するための手段】
【０００９】
上記従来の課題を解決するために、本発明の冷蔵庫は、システムキッチンに設けられた引き出しスペースに設置される冷蔵庫であって、前面を開口した貯蔵室の左右のいずれか一方に、前記貯蔵室を冷却するための冷却ユニットを集中配置し、さらに前記貯蔵室の前面開口部を開閉する扉を設けて前記貯蔵室を閉塞空間とし、前記貯蔵室内に、前記冷却ユニットの冷気を循環させる庫内風路を形成し、前記庫内風路の吸込み口を前記扉側に、また、冷気の吐出口を前記吸込み口よりも奥行き側位置にそれぞれ開口したもので、かかる構成によって、システムキッチンの奥面に給排水配管のある空間においても奥行き方向の収納スペースを確保し、庫内を均一に冷却することができる。
【発明の効果】
【００１０】
本発明の冷蔵庫は、システムキッチン内や理化学実験台下の限られた空間において、システムキッチンの枠内に簡単にビルトイン設置でき、奥行き方向の収納量を確保し、庫内の冷却能力確保、庫内温度の均一化をはかることができる。
【発明を実施するための最良の形態】
【００１１】
請求項１に記載の発明は、システムキッチンに設けられた引き出しスペースに設置される冷蔵庫であって、前面を開口した貯蔵室の左右のいずれか一方に、前記貯蔵室を冷却するための冷却ユニットを集中配置し、前記貯蔵室内に、前後方向にスライド可能となるように容器を配置し、さらに前記貯蔵室の前面開口部を開閉する扉を設けて前記貯蔵室を閉塞空間とし、前記貯蔵室内に、前記冷却ユニットの冷気を循環させる庫内風路を形成し、前記庫内風路の吸込み口を前記扉側に、また、冷気の吐出口を前記吸込み口よりも奥行き側位置にそれぞれ開口したものである。
【００１２】
かかる構成とすることにより、貯蔵室における扉側開口部付近には、貯蔵室内を循環した冷気が流れるため、開口部の結露を低減でき、また結露防止用ヒータの入力を低減することができる。
【００１３】
請求項２に記載の発明は、前記冷却室内に設置される庫内空気循環用ファンを、前記冷却ユニットを構成する冷却器の奥側に設置したもので、貯蔵室内側から直接前記庫内空気循環用ファンを手で触れることができないため、安全性の向上がはかれ、また送風音も冷却器で一部緩和され、騒音の低減化がはかれるものである。
【００１４】
請求項３に記載の発明は、前記冷却器を、冷却ユニット内に構成された冷却室内に位置し、その冷却室内壁の側面に設置したものである。
【００１５】
かかる構成とすることにより、貯蔵室内の奥行き寸法が十分確保でき、その結果、飲料ビンやワインなど収納が縦向き（前後）に可能となり、商品価値を高めることができる。
【００１６】
請求項４に記載の発明は、前記冷却器に複数の吸熱フィンを設け、そのフィンの間隔を、５ｍｍ以上確保するようにしたものである。
【００１７】
この構成により、熱交換に要する通風路面積が確保でき、フィン表面の結露の蓄積による風量低下、冷却面温度低下に起因したフィン結露水の凍結に伴う風路閉鎖、冷却能力の低下が抑制できる。
【００１８】
請求項５に記載の発明は、前記冷却器のフィンを、その先端位置が、フィン根元よりも低い位置となるように延出させたもので、かかる傾斜により、フィン結露水の滴下が促進でき、その結果、結露水の剥離促進、結露による冷却器の風路閉鎖が抑制できる。
【００１９】
請求項６に記載の発明は、前記冷却器のフィンを、冷気の流れ方向に対して斜め下方向に延出させたもので、これにより、冷却器表面やフィンの結露水が落ちやすくなり、信頼性を向上することができる。
【００２０】
請求項７に記載の発明は、前記冷却器のフィンを、冷気の流れ方向に対して直角方向に延出させたもので、これにより冷却器表面やフィンの結露水が重力の作用を最大限利用することができ、結露水が更に剥離しやすくなり、長期信頼性を向上することができる。
【００２１】
請求項８に記載の発明は、少なくとも前記容器を、高熱伝導性部材より構成したもので、冷却室が側面に設置されているにも関わらず、庫内温度を均一にすることができ、また、食品に対しての冷却時間の短縮化が図れる。また、前記貯蔵室の内壁等も含めて金属部材、熱伝導樹脂材等の高熱伝導性部材を用いれば、一層の効果が期待できる。
【００２２】
請求項９に記載の発明は、少なくとも前記貯蔵室内壁の一部に、防錆処理を施したものである。
【００２３】
かかる構成とすることにより、錆等による品質劣化が防止でき、長期間、高品質な貯蔵空間を提供することができる。さらに、前記容器を含め、貯蔵室内壁を構成する部材も同様に防錆処理を施すことにより、一層の効果が期待できる。
【００２４】
請求項１０に記載の発明は、前記冷気の吐出口の面積を、前記吸込み口の面積より大きくしたもので、かかる構成とすることにより、貯蔵室に対して冷気の吐出の力が大きくなり、その結果、冷気が前方に流れやすくなり、貯蔵室の端まで冷気が流れ、冷却効率の向上、および庫内の均温化が図れる。
【００２５】
請求項１１に記載の発明は、前記貯蔵室の一部にリブを設けたもので、かかる構成とすることにより、冷気吐出口と吸込み口のショートサーキットを防止することができ、冷却性能のさらなる向上、および貯蔵室のさらなる均温化が図れるものである。
【００２６】
以下、本発明の実施の形態について、図面を参照しながら説明するが、先に説明した構成と同一の構成要素については同一の符号を付して、その詳細な説明は省略する。なお、以下の実施の形態によってこの発明が限定されるものではない。
【００２７】
（実施の形態１）
図１は、本発明の実施の形態１におけるシステムキッチン組立体にビルトイン型冷蔵庫を組み込んだ状態を示す斜視図である。
【００２８】
同図において、システムキッチンは奥行き・幅・高さなどで様々な種類があり、調理などをするワークトップ９は、システムキッチンの外枠１０の上部に構成されており、ワークトップ９には、シンク１１、その下に位置する引き出し収納スペース１２、さらにその下に位置するシステムキッチン組み込み式のビルトイン型冷蔵庫（以下、冷蔵庫と称す）１３で構成されている。冷蔵庫１３の前面には、意匠パネルドアを形成する化粧板１４Ａ、および吸込み口付き化粧板１４Ｂが配置されている。
【００２９】
このような構成とすることにより、システムキッチンの外観を損なわずにシステムキッチンに冷蔵庫１３を組み込むことができる。
【００３０】
図２は、同実施の形態のシステムキッチンからビルトイン型冷蔵庫を前面に引き出したときの斜視図である。
【００３１】
冷蔵庫１３は、大きくは断熱箱体からなる収納部１５と、機械室１６Ａで構成されている。収納部１５の前面には、断熱扉１７が設けられている。この断熱扉１７には、システムキッチンの外観を統一するために、化粧板１４Ａが取り付けられている。また、機械室１６Ａの前面には、吸込みグリル１４Ｃを一体成形した吸込み口付き化粧板１４Ｂが取り付けられている。
【００３２】
図３は、同実施の形態におけるビルトイン型冷蔵庫の部分斜視図であり、収納部１５は、冷却ユニット１９を構成する冷却器２０と庫内攪拌用ファンモータ２１が収納されている冷却室２２と、庫内カバー２３により冷却室２２と区切られた庫内１８で構成されている。冷却器２０は、ペルチェ素子等（図示せず）を熱源とするものであるが、設置スペース等が確保できるようであれば、ヒートポンプシステムを熱源としてもよい。また、庫内１８は、物品を収納する貯蔵空間を構成している。さらに、庫内１８には、収納ケース２４が配置されている。この収納ケース２４は、前後方向にスライドできるようにその左右両端がレール２５に支持されている。レール２５は、庫内１８の左右側壁取り付けられており、収納ケース２４の底部に固定された固定レール２５Ａと、中間レール（図示せず）、および可動レール２５Ｃで構成されている。このレール２５構成は、周知の構造でよいため、その詳細な説明については省略する。
【００３３】
図４は、同実施の形態におけるビルトイン型冷蔵庫の平面図である。庫内１８には、冷却ユニット１９との区画を行う庫内カバー２３が設けられている。この庫内カバー２３には、庫内に冷気を流出させるための吐出口２７と、庫内１８の冷気を冷却ユニット１９へ導く吸込み口２８が設けられている。吐出口２７は、庫内１８の奥側に位置し、吸込み口２８は、庫内１８の開口部側に位置している。さらに、吐出口２７と吸込み口２８の間には、ショートサーキット防止用リブ２９が設けられている。
【００３４】
図５は、同実施の形態におけるビルトイン型冷蔵庫の冷却室付近の拡大図である。庫内攪拌用ファンモータ２１は、冷却器２０の下流側に設置されており、また、吐出口２７の開口面積は吸込み口２８の開口面積より大きく形成されている。そして、吐出口２７の近辺に設けられたショートサーキット防止用リブ２９により、吐出口２７からの吐出冷気が、直ちに吸込み口２８へ流入しないように流れを阻止している。
【００３５】
図６は、同実施の形態におけるビルトイン型冷蔵庫の冷却室内に設置されている冷却器の斜視図である。冷却器２０はアルミなどの高熱伝導部材を材料とし、ベース部３０とフィン３１で構成されている。
【００３６】
図７に冷却器の断面図を示す。冷却器２０のフィン３１は、フィン先端３３がフィン根元３２より低い位置となるように傾斜している。また、前記フィンの根元３２からフィン先端３３の経路は、中心を上方に持つ緩やかな円弧で低下している。さらに、フィン３１全体のフィン間隔３４は各々５ｍｍ以上間隔を開けるように構成されている。
【００３７】
以上のように構成されたシステムキッチン組み込み式のビルトイン型冷蔵庫について、以下その動作、および作用を説明する。
【００３８】
まず、冷蔵庫１３は、システムキッチン本体９の最下部に組み込まれる。そのとき、シンク１１には、水道や排水などの配管（いずれも図示せず）があるため、冷蔵庫１３の奥行き方向に関しては、寸法に制限がある。
【００３９】
冷蔵庫１３は、冷蔵庫左右側面のどちらかに冷却ユニット１９、機械室１６を設置している。また、それに伴い、冷却室２２も側面に配置し、構成部品も冷却ユニット１９に集中配置することにより、奥行き方向に冷却構成部品をなくし、奥行き方向の寸法を十分に確保した構成としている。したがって、庫内１８は、食品などを収納する庫内容量が十分確保できる。
【００４０】
ここで、冷却器２０と庫内攪拌用ファンモータ２１を用いた場合、空冷式のため、庫内カバー２３において、その冷気の吐出口２７、吸込み口２８の設置位置が課題になる。そこで、吐出口２７を庫内１８の奥面部に配置し、吸込み口２８を開口部２６側に設けることにより、最も冷却された冷気が最も冷却されていない部位である開口部２６に直接当たり、結露を生じないように配慮した。
【００４１】
これにより、収納部１５における開口部付近の結露の防止が可能となる。また、開口部２６に温度補償用ヒータ（図示せず）が設置されている場合、前述の如く結露を生じにくくしているため、その電気入力が削減でき、省エネが図られる。また、庫内攪拌用ファンモータ２１は、冷却器２０の下流側で、庫内１８の奥側に設置することにより、騒音を低減し、圧力損失低減による冷却性能を向上させることができる。
【００４２】
さらに、冷却器２０のフィン３１のフィン間隔３４を５ｍｍ以上にすることにより、結露水の表面張力によるフィン間出の風路閉塞を防止することができ、冷蔵庫１３が冷却運転中のとき、冷却器２０の表面やフィン３１への結露成長、凍結による風路閉塞を防止し、冷却能力の確保を行なう。さらに、冷却器２０やフィン３１に発生した結露水の滴下処理を円滑に行なうように、フィン３１のフィン先端３３をフィン根元３２より下がる傾斜形成とすることにより、重力による水滴落下を促進させる。
【００４３】
また、庫内カバー２３において、冷気の吐出口２７を吸込み口２８の面積より大きくとることにより、庫内攪拌用ファン２１から吐出される冷気が、冷却ユニット１９を設置した面の反対側面に届くのを容易にする。その結果、庫内の均温、冷却スピードの向上が図れる。また、吐出口２７と吸込み口２８の間にショートサーキット防止用リブ２９を設置することにより、吐出された冷気がすぐに吸込み口２８へ帰ることなく、庫内１８に拡散され、庫内１８を効率よく冷やすことができる。
【００４４】
以上のように、本実施の形態においては冷蔵庫１３において、冷却ユニット１９を収納部１５のどちらかの側面に設置し、そのときの庫内１８の冷気の流れを庫内１８の奥から流し、吸込み口２８を開口部２６側に設け、冷却器２０においては、フィン３１の形状、材質を適正化し、庫内カバー２３の吐出口２７、吸込み口２８の面積、リブ２９の設置などをすることにより、庫内１８の奥行き寸法確保による商品価値の向上、庫内容量の確保、庫内の均温化、冷却性能の向上などができる。
【００４５】
なお、冷蔵庫１３における庫内１８の断熱箱体の内壁や庫内カバー２３、収納ケース２４は、高熱伝導性の材料を用いることにより、庫内１８の熱伝導促進による均温化が可能であり、また、食品などの冷却スピードを高めることができる。
【００４６】
さらに、冷蔵庫１３における庫内１８の断熱箱体の内壁や庫内カバー２３、収納ケース２４の表面に、クリア塗装やメッキ処理などの防錆処理を施すことにより、デザインの維持、外観上の美観維持、錆などによる食品への悪影響を防止することができる。
【００４７】
また、冷蔵庫１３は、温度・湿度の設定により、保冷庫や乾燥庫、温蔵庫、培養器など様々な貯蔵空間としても使用することができる。
【００４８】
（実施の形態２）
図８は、本発明の実施の形態２のシステムキッチン組み込み式のビルトイン型冷蔵庫における冷却器の斜視図である。
【００４９】
図８において冷却器２０Ｂは、先の実施の形態における冷却器２０のフィン３１の形状を改善したものであり、フィン３１Ｂは冷気の流れ方向に対して斜め方向に設置され、かつ流れに対して下方側に傾いている。
【００５０】
以上のように構成された冷蔵庫１３の冷却器２０Ｂについて、図８をもとに以下その動作、作用を説明する。
【００５１】
冷却室２２での冷気の流れは、吸込み口２８から庫内で熱交換された冷気を吸込み、側面に沿って、ほぼ水平に流れ、その時、冷却器２０Ｂで熱交換された温度の低い冷気を庫内攪拌用ファンモータの動圧により吐出口より庫内へ拡散させる。そのとき、冷却器２０Ｂを用いることにより冷気は、冷却器２０Ｂのフィン３１Ｂの隙間を流れるが、強制的に下方向に流れるようフィン３１Ｂを傾けて設置しているため、重力と冷気の送風圧力、粘性力などにより、冷却器２０Ｂのベース部３０Ｂやフィン３１Ｂの表面に付着している結露水の剥離・撥水性を向上させることができる。このことにより結露水による風路閉塞・風量低下による冷却面温度の低下、凍結による風路閉鎖、それらによる冷却能力低下を防止することができ、長期信頼性の確保が図れる。
【００５２】
以上のように、本実施の形態においては、冷却器２０Ｂにおいて、冷却器２０Ｂのフィン形状を、冷気の流れ方向に対し下方に傾けることにより、結露水のフィン３１Ｂからの剥離を促進させ、冷却器２０Ｂの性能低下の防止、長期信頼性の向上が可能となる。
【００５３】
（実施の形態３）
図９は、本発明の実施の形態３のシステムキッチン組み込み式のビルトイン型冷蔵庫における冷却器の斜視図である。
【００５４】
図９において、冷却器２０Ｃは、冷却器２０におけるフィン３１の形状を改善したものであり、フィン３１Ｃは冷気の流れ方向に対して垂直方向に設置され、かつフィン３１Ｃの配列が千鳥状になっていることを特徴としている。
【００５５】
以上のように構成された冷却器２０Ｃについて、以下その動作、作用を説明する。
【００５６】
冷却室２２での冷気の流れは、吸込み口２８から庫内で熱交換された冷気を吸込み、側面に沿って、ほぼ水平に流れ、その時、冷却器２０Ｃで熱交換された温度の低い冷気を庫内攪拌用ファンモータの動圧により吐出口より庫内へ拡散させる。そのとき、冷却器２０Ｃを用いることにより、冷却器２０Ｃのベース部３０Ｃやフィン３１Ｃに付着した結露水は、フィン３１Ｃが流れ方向に垂直方向に設置されているため、重力の影響が最大に発揮でき、結露水はフィン表面から離脱しやすい。また、フィン３１Ｃに関しては、隣り合うフィン３１Ｃに関しては千鳥状の配列をすることにより、フィン表面付近での冷気の巻き込みなどによる乱流促進が期待でき、冷却におけるフィン効率を高めることができる。
【００５７】
以上のように、本実施の形態においては冷却器２０Ｃにおいて、冷却器２０Ｃのフィン形状を、冷気の流れ方向に対して垂直（直角）とすることにより、結露水の冷却器２０Ｃからの剥離を促進させ、冷却器２０Ｃの性能低下の防止、長期信頼性の向上がはかれる。
【産業上の利用可能性】
【００５８】
以上のように、本発明にかかるビルトイン型冷蔵庫は、限られた空間を有効に活用できるのでシステムキッチンや理化学器実験台下やベッド下などの限られた空間に有効なビルトイン機器に適用できる。
【図面の簡単な説明】
【００５９】
【図１】本発明の実施の形態１におけるシステムキッチンに組み込まれたビルトイン型冷蔵庫の斜視図
【図２】同システムキッチンからビルトイン型冷蔵庫を前面に引出した時の斜視図
【図３】本発明の実施の形態１におけるビルトイン型冷蔵庫の部分斜視図
【図４】同ビルトイン型冷蔵庫の平面図
【図５】同ビルトイン型冷蔵庫における冷却室近傍の拡大図
【図６】同ビルトイン型冷蔵庫における冷却器の斜視図
【図７】同ビルトイン型冷蔵庫における冷却器の断面図
【図８】本発明の実施の形態２におけるビルトイン型冷蔵庫の冷却器の斜視図
【図９】本発明の実施の形態３におけるビルトイン型冷蔵庫の冷却器の斜視図
【図１０】従来のシステムキッチン組み込み式保冷庫の斜視図
【符号の説明】
【００６０】
９    システムキッチン本体の一部
１０  ワークトップ
１１  シンク
１２  収納スペース
１３  システムキッチン組み込み式のビルトイン型冷蔵庫
１４Ａ  化粧板
１４Ｂ  吸込み口付き化粧板
１４Ｃ  吸込みグリル
１５  収納部
１６  機械室
１７  断熱扉
１８  庫内
１９  冷却ユニット
２０  冷却器
２０Ｂ  冷却器
２０Ｃ  冷却器
２１  庫内攪拌用ファンモータ
２２  冷却室
２３  庫内カバー
２４  収納ケース（容器）
２５Ａ  固定レール
２５Ｃ  可動レール
２６  断熱箱体開口部
２７  吐出口
２８  吸込み口
２９  ショートサーキット防止用リブ
３０  ベース部
３１  フィン
３２  フィン根元
３３  フィン先端
３４  フィン間隔
【図１】
2006105561.tif 000003
【図２】
2006105561.tif 000004
【図３】
2006105561.tif 000005
【図４】
2006105561.tif 000006
【図５】
2006105561.tif 000007
【図６】
2006105561.tif 000008
【図７】
2006105561.tif 000009
【図８】
2006105561.tif 000010
【図９】
2006105561.tif 000011
【図１０】
2006105561.tif 000012